(57)【要約】【課題】スクリーン装置に入ったり通り抜けたりすることが可能で、かつ、安価で軽量、手軽に使用可能な画像表示システムを提供する。【解決手段】光透過性と光拡散性とを有する幕１０１，１０１，・・・と、前記幕１０１，１０１，・・・の各幕面１０１ａが所定の間隔を有して対向するように前記幕１０１，１０１，・・・を吊り下げる支持装置１１０とを有するスクリーン装置１００と、前記スクリーン装置１００に互いに異なった方向から画像を投射して前記幕面１０１ａに画像を表示する複数のプロジェクタＰＪ１，ＰＪ２とを有する。【選択図】図１
2008268858.tif 000002
【特許請求の範囲】
【請求項１】
光透過性と光拡散性とを有する幕と、前記幕の幕面が所定の間隔を有して対向するように前記幕を複数枚吊り下げる支持装置とを有するスクリーン装置と、
前記スクリーン装置に互いに異なった方向から画像を投射して前記幕面に画像を表示する複数のプロジェクタと、
を有することを特徴とする画像表示システム。
【請求項２】
請求項１に記載の画像表示システムにおいて、
前記幕は、光透過性が光拡散性に比べて高いことを特徴とする画像表示システム。
【請求項３】
請求項１又は２に記載の画像表示システムにおいて、
前記幕は、外力が加わることにより自在に揺れ動く材質であることを特徴とする画像表示システム。
【請求項４】
請求項１〜３のいずれかに記載の画像表示システムにおいて、
前記幕は、前記幕面の上下方向に少なくとも一本のスリットを有することを特徴とする画像表示システム。
【請求項５】
請求項１〜４のいずれかに記載の画像表示システムにおいて、
前記幕は、前記幕面が所定の間隔を有して対向するように同心円状に配置されることを特徴とする画像表示システム。
【請求項６】
請求項１〜５のいずれかに記載の画像表示システムにおいて、
前記複数のプロジェクタは、前記スクリーン装置を挟んで一方の側と他方の側に設置され、前記一方の側に設置するプロジェクタはフロント投射モードによる投射を行い、前記他方の側に設置するプロジェクタはリア投射モードによる投射を行うことを特徴とする画像表示システム。
【請求項７】
請求項１〜６のいずれかに記載の画像表示システムにおいて、
前記複数のプロジェクタは、前記複数のプロジェクタからの投射光内に人が入った場合に、前記プロジェクタの輝点が人の眼に直接入らないような位置に設置されることを特徴とする画像表示システム。
【請求項８】
光透過性と光拡散性とを有する幕と、前記幕の幕面が所定の間隔を有して対向するように前記幕を複数枚吊り下げる支持装置とを有するスクリーン装置を設置し、
前記スクリーン装置に複数のプロジェクタが互いに異なる方向から画像を投射して前記幕面に画像を表示するようにしたことを特徴とする画像表示方法。
【請求項９】
光透過性と光拡散性とを有する幕と、
前記幕の幕面が所定の間隔を有して対向するように前記幕を複数枚吊り下げる支持装置と、
を有することを特徴とするスクリーン装置。
【発明の詳細な説明】
【技術分野】
【０００１】
本発明は、プロジェクタを用いて画像を表示する画像表示システム、画像表示方法及び画像表示システムに用いるためのスクリーン装置に関する。
【背景技術】
【０００２】
投射型の画像表示装置であるプロジェクタは、投射画像を再現するためのスクリーンが不可欠である。プロジェクタの投射画像を表示するためのスクリーンの分類の仕方としては、硬質で破損しにくいハードタイプのスクリーン、収納や移動に便利なソフトタイプのスクリーンというような分類、プロジェクタの投射方向によるフロント投射型のスクリーン、リア投射型のスクリーンといった分類の仕方がある。
【０００３】
いずれのスクリーンを用いる場合であっても、スクリーンの存在によって人などの移動が阻害されたり、見る方向が限定されたりする。このため、プロジェクタとスクリーンとを組み合わせた画像表示システムは、会議室、映画館など限られた場所での使用が主となる。
これに対して、最近では、「フォグスクリーン」や「白煙スクリーン」などのスクリーンが存在する（例えば、特許文献１、特許文献２参照）。
【０００４】
特許文献１に開示された技術（第１従来技術という）は、霧を均一に平面的に発生させることによってスクリーン（フォグスクリーン）を形成し、形成されたフォグスクリーンにプロジェクタなどの画像投射装置から投射される画像を表示するものである。このようなフォグスクリーンによれば、人などの移動は阻害されず、スクリーン内に人が入り込んだり、物を置いたり、また、人がスクリーンを通り抜けることも可能である。
【０００５】
したがって、このようなフォグスクリーンを、例えば、空港、駅、病院、ショッピングモールなどの通路に形成させて、目的地までの道案内の表示や様々な情報を表示させるという使い方や、各種のイベントやショーなどでの使用も可能となり、フォグスクリーンとプロジェクタとを組み合わせた新しい画像表示システムを構築することができる。
【０００６】
また、特許文献２に開示された技術（第２従来技術という）は、白煙を発生させることによってスクリーン（白煙スクリーン）を形成し、形成された白煙スクリーンにプロジェクタなどの画像投射装置から投射される画像を表示するものである。このような白煙スクリーンもフォグスクリーンと同様、スクリーン内に人が入り込んだり、物を置いたり、また、人がスクリーンを通り抜けることも可能であるため、フォグスクリーンと同様の使い方ができる。
【０００７】
【特許文献１】特開平４−２８７０３２号公報
【特許文献２】特開平７−５６２３５号公報
【発明の開示】
【発明が解決しようとする課題】
【０００８】
しかしながら、上記したフォッグスクリーン及び白煙スクリーンは、いずれもスクリーンを通り抜ける前は、これらスクリーンに投射されている画像を見ることはできるが、人がスクリーン内に入り込んだ場合やスクリーンを通り抜けてしまうと、表示されている画像を見ることはできないという問題があり、また、プロジェクタなどの画像投射装置とスクリーンとの間に人や物が存在すると、人や物が投射光を遮ることにより、スクリーン上の画像に人や物の影ができてしまうという問題がある。
【０００９】
また、フォグスクリーンは、大量の水を消費すること、大量の水を蓄える必要があるため重量が重くなること、消費電力が極めて大きいことなどから、設置場所が限定されたり、設置のための工事が大掛かりなものとなったりするといった問題点があり、また、フォグスクリーンそのもののコストが極めて高いことなどから、手軽に使用できるものではなく、使用範囲も限られるといった問題点もある。
【００１０】
また、白煙スクリーンは、白煙を発生させるための液体窒素や水が必要であり、また、水を加熱するために消費電力の大きなヒータが必要であるため、フォグスクリーンと同様の問題点がある。
【００１１】
したがって、上記したフォグスクリーンや白煙スクリーンとプロジェクタなどの画像投射装置とを組み合わせた画像表示システムは、これまでにはない新しい画像表示システムを構築できる可能性はあるものの、上記したような様々な問題点も多く残されている。
【００１２】
本発明は、スクリーン装置に入ったり通り抜けたりすることが可能で、かつ、スクリーン装置に入ったり通り抜けたりする際に人や物の存在に影響を受けずに投射画像を表示することができ、さらに、設置のために大掛かりな工事が不要であることから、設置や移動が容易で、安価といった様々な利点を有する画像表示システム、画像表示方法及び前記画像表示システムに用いるためのスクリーン装置を提供することを目的とする。
【課題を解決するための手段】
【００１３】
（１）本発明の画像表示システムは、光透過性と光拡散性とを有する幕と、前記幕の幕面が所定の間隔を有して対向するように前記幕を複数枚吊り下げる支持装置とを有するスクリーン装置と、前記スクリーン装置に互いに異なった方向から画像を投射して前記幕面に画像を表示する複数のプロジェクタとを有することを特徴とする。
【００１４】
本発明の画像表示システムは、光透過性と光拡散性とを有する幕と、前記幕の幕面が所定の間隔を有して対向するように複数の前記幕を吊り下げる支持装置とを有するスクリーン装置を有しているので、スクリーン装置に人などが入り込むことが可能である。また、複数のプロジェクタによって異なった方向から画像を投射するようにしているので、人などがスクリーン装置に入り込んだ場合に、ある方向からの投射画像が人の存在によって遮られたとしても、他の方向からの投射画像が表示される。これにより、人などの存在の影響を受けずに投射画像を表示することができる。
【００１５】
また、本発明の画像表示システムは、幕が複数枚存在し、各々の幕は光透過性と光拡散性とを有しているので、各プロジェクタからの投射画像は、各々の幕の幕面で画像を表示させることができる。
また。本発明の画像表示システムは、霧や白煙などを発生させることによってスクリーンを形成するものではないため、設置のための大掛かりな工事が不要であり、移動も簡単であることから、手軽に使用可能な画像表示システムとすることができる。
【００１６】
（２）前記（１）に記載の画像表示システムにおいては、前記幕は、光透過性が光拡散性に比べて高いことが好ましい。
これにより、ある１つのプロジェクタから投射される画像を複数枚の幕に同時に表示させることができる。
【００１７】
（３）前記（１）又は（２）に記載の画像表示システムにおいては、前記幕は、外力が加わることにより自在に揺れ動く材質であることが好ましい。
このように、幕は布などの柔らかい素材でなるものであるため、人などが幕と幕の間に入ったり、物を幕と幕の間に置いたりすることが容易に行うことができる。
【００１８】
（４）前記（１）〜（３）のいずれかに記載の画像表示システムにおいては、前記幕は、前記幕面の上下方向に少なくとも一本のスリットを有することが好ましい。
このように、各々の幕の幕面にスリットを設けることにより、人はプロジェクタの投射方向に沿ってスクリーン装置を通り抜けることができる。これにより、本発明の画像表示システムは、例えば、建物内の通路などに設けて、道案内の表示や様々な情報を表示させるという使い方も可能となる。
【００１９】
（５）前記（１）〜（４）のいずれかに記載の画像表示システムにおいては、前記幕は、前記幕面が所定の間隔を有して対向するように同心円状に配置されることも好ましい。
このように、各々の幕を同心円状に配置することにより、外観としては円筒形状のスクリーン装置を構成することができ、このような円筒形状のスクリーン装置を取り囲むようにプロジェクタを設置して、各プロジェクタから画像を投射することにより、立体感のある画像を表示させることができる。
【００２０】
（６）前記（１）〜（５）のいずれかに記載の画像表示システムにおいては、前記複数のプロジェクタは、前記スクリーン装置を挟んで一方の側と他方の側に設置され、前記一方の側に設置するプロジェクタはフロント投射型の投射モードによる投射を行い、前記他方の側に設置するプロジェクタはリア投射型の投射モードによる投射を行うことが好ましい。
【００２１】
このように、スクリーン装置を挟んで両方の側にプロジェクタを設置し、一方の側に設置するプロジェクタはフロント投射型の投射モードによる投射を行い、他方の側に設置するプロジェクタはリア投射型の投射モードによる投射を行うことによって、例えば、フロント投射モードで投射しているプロジェクタからの投射画像がスクリーン装置内に入った人の存在により遮られた状態となったとしても、他方のプロジェクタの投射画像がリア投射モードによって表示されているので、スクリーン装置に入っている人だけではなく、周囲の人もスクリーン装置に表示されている情報を読み取ることができる。
【００２２】
（７）前記（１）〜（６）のいずれかに記載の画像表示システムにおいては、前記複数のプロジェクタは、前記複数のプロジェクタからの投射光内に人が入った場合に、前記プロジェクタの輝点が人の眼に直接入らないような位置に設置されることが好ましい。
これにより、人がスクリーン装置内に入ることによってプロジェクタからの投射光内に入ったとしても、プロジェクタの輝点が直接目に入らないので、目を保護することができ、安全性の高い画像表示システムとすることができる。
【００２３】
（８）本発明の画像表示方法は、光透過性と光拡散性とを有する幕と、前記幕の幕面が所定の間隔を有して対向するように前記幕を複数枚吊り下げる支持装置とを有するスクリーン装置を設置し、前記スクリーン装置に複数のプロジェクタが互いに異なる方向から画像を投射して前記幕面に画像を表示するようにしたことを特徴とする。
このような方法によって画像表示を行うことにより、前記（１）に記載の画像表示システムと同様の効果が得られる。なお、本発明の画像表示方法においても、前記（２）〜（７）と同様の特徴を有することが好ましい。
【００２４】
（９）本発明のスクリーン装置は、光透過性と光拡散性とを有する幕と、前記幕の幕面が所定の間隔を有して対向するように前記幕を複数枚吊り下げる支持装置とを有することを特徴とする。
このような構成を有するスクリーン装置を用い、当該スクリーン装置と複数のプロジェクタとを組み合わせることによって前記（１）に記載の画像表示システムを構成することができる。なお、本発明のスクリーン装置においても前記（１）〜（５）に記載の特徴を有することが好ましい。
【発明を実施するための最良の形態】
【００２５】
以下、本発明の実施形態について説明する。
[実施形態１]
図１は実施形態１に係る画像表示システムの構成を示す図である。実施形態１に係る画像表示システムは、複数枚（実施形態１では５枚とする）の幕１０１，１０１，・・・と、幕１０１，１０１，・・・の各幕面１０１ａが図示ｘ軸方向において所定間隔を有して対向するように吊り下げる支持装置１１０とを有するスクリーン装置１００と、スクリーン装置１００に互いに異なった方向から画像を投射して、幕１０１,１０１，・・・の各幕面１０１ａに画像を表示する複数（実施形態１では２台とする）のプロジェクタＰＪ１，ＰＪ２とを有している。
【００２６】
幕１０１，１０１，・・・は、光透過性と光拡散性とを合わせ持った柔らかい薄手の布が用いられている。なお、当該布の光透過率は、光拡散率に比べてより大きな光透過率を有している。
【００２７】
支持装置１１０は、プロジェクタの投射方向に沿って設けられた２本のフレーム１１１，１１２と、これらフレーム１１１，１１２間に架け渡され、幕１０１，１０１，・・・を吊り下げる複数の吊り下げ用部材１１３，１１３，・・・とを有している。なお、支持装置１１０は、図１に示すような構成に限られるものではなく、本発明の画像表示システムを設置する場所などによって種々の構成のものを用いることができる。
【００２８】
また、幕１０１，１０１，・・・は、吊り下げ用部材１１３，１１３，・・・からカーテンのように吊り下げられているだけであって、少なくとも上下方向（図示ｚ軸方向）へのテンションはかけられていない。なお、幕１０１，１０１，・・・の各幕面１０１ａには横方向（図示ｙ軸方向）に大きな「しわ」などなどが生じないように吊り下げ用部材１１３，１１３，・・・から吊り下げられることが好ましい。
【００２９】
このように、スクリーン装置１００は、幕１０１，１０１，・・・が支持装置１１０の吊り下げ用部材１１３，１１３，・・・からカーテンのように吊り下げられているだけであり、かつ、柔らかい薄手の布製であるので、幕と幕との間に人が入り込んだり、物を置いたりすることができる。
【００３０】
また、プロジェクタＰＪ１，ＰＪ２のうちの一方のプロジェクタ（プロジェクタＰＪ１とする）は、フロント投射モードでの投射を行い、他方のプロジェクタ（プロジェクタＰＪ２とする）は、リア投射モードによる投射を行う設定となっているものとする。また、実施形態１に係る画像表示システムにおいては、２台のプロジェクタＰＪ１，ＰＪ２は同じ情報を投射するものとする。
【００３１】
図２は実施形態１に係る画像表示システムを簡略化して示す図である。具体的には、図１に示すスクリーン装置１００の幕１０１，１０１，・・・とプロジェクタＰＪ１，ＰＪ２との関係を示すものであり、支持装置１１０は図示が省略されている。なお、図２（ａ）は斜視図、図２（ｂ）は上方から見た平面図である。
【００３２】
図２に示すように、実施形態１に係る画像表示システムにおいて用いられるスクリーン装置１００は、幕１０１，１０１，・・・の各幕面１０１ａが対向するように、幕１０１，１０１，・・・が配置された構成となっている。また、各幕面１０１ａの間隔は、ほぼ等間隔（例えば、数十センチメートル程度の間隔）で、かつ、各幕面１０１ａは平行であるとする。
【００３３】
図３はスクリーン装置１００に２台のプロジェクタＰＪ１，ＰＪ２で投射を行った状態を模式的に示す図である。図３に示すように、プロジェクタＰＪ１はフロント投射モードによる投射を行い、プロジェクタＰＪ２はリア投射モードによる投射を行っている。図３においては、プロジェクタＰＪ１からは、例えば、「Ａ，Ｂ，Ｃ・・・」という画像がフロント投射モードにより投射されており、プロジェクタＰＪ２からは同じく「Ａ，Ｂ，Ｃ，・・・」という画像がリア投射モードにより投射されている。このため、プロジェクタＰＪ１側から見た場合、「Ａ，Ｂ，Ｃ・・・」という画像は、正しい文字の向きで表示されることとなる。
【００３４】
また、幕１０１，１０１，・・・は、光透過性と光拡散性とを有し、かつ、光透過性が光拡散性に比べて高いため、プロジェクタＰＪ１，ＰＪ２から投射された画像は、幕１０１，１０１，・・・の各幕面１０１ａを透過するとともに幕１０１，１０１，・・・の各幕面１０１ａ上で表示される。なお、プロジェクタＰＪ１から投射された画像及びプロジェクタＰＪ２から投射された画像は、各プロジェクタＰＪ１，ＰＪ２に近い位置の幕ほど明確に表示され、各プロジェクタＰＪ１，ＰＪ２から遠い位置の幕ほど表示の明確さの度合いが低くなるが、幕の数が実施形態１に係る画像表示システムのように５枚程度であれば、各プロジェクタＰＪ１，ＰＪ２からそれぞれ最も遠い位置の幕に表示される画像であっても十分に視認可能な程度の明確さを有する。
【００３５】
このようなスクリーン装置１００を用いて画像表示システムを構成することによって、プロジェクタＰＪ１，ＰＪ２でスクリーン装置１００に投射された画像は、幕１０１，１０１，・・・の各幕面１０１ａに図３に示すように表示される。したがって、図３に示すような画像表示システムにおいて、人がスクリーン装置１００内（幕と幕との間）に入ることによって、例えば、プロジェクタＰＪ１からの投射光を遮る状態となったとしても、プロジェクタＰＪ２からの投射画像がリア投射モードによって表示されている。このため、スクリーン装置１００内に入っている人はスクリーン装置１００に表示されている画像を見ることができ、また、スクリーン装置１００内に入っている人だけでなく、周囲にいる人もスクリーン装置１００に表示されている画像を見ることができる。
【００３６】
なお、本発明の画像表示システムにおいては、人がスクリーン装置１００内に入ることが可能であることから、各プロジェクタＰＪ１，ＰＪ２の輝点が人の眼に入る可能性もあるが、人がスクリーン装置１００内に入った場合は、投射光は幕１０１，１０１，・・・を介して人に照射されるので、プロジェクタＰＪ１，ＰＪ２の輝点が直接目に入る場合に比べて、目に与える影響は大幅に減少する。
【００３７】
また、人の目に与える影響をより小さくするためには、プロジェクタＰＪ１，ＰＪ２を図４に示すように、一般的な人の目線よりも十分高い位置に設置することが好ましい。プロジェクタＰＪ１，ＰＪ２を図４のような位置に設置することによって、プロジェクタＰＪ１，ＰＪ２の輝点が人の目に直接入るのを防ぐことができる。なお、プロジェクタＰＪ１，ＰＪ２を図４のような位置に設置することが好ましいことは、後述の他の実施形態においても同様である。
【００３８】
実施形態１に係る画像表示システムとすることにより、スクリーン装置１００内に人が入り込んだり、物を置いたりすることができるので、例えば、各種のイベント会場やショー会場、ショウルームなどで人や物と映像とを組み合わせた様々な演出を行うことができ、これまでとは異なった新しい画像表示システムを構築することができる。特に、プロジェクタからの投射画像が複数の幕に奥行きを持った状態で表示されるので、炎、水などの自然現象の動画像は、より質感の高いリアルなものとなる。また、文字情報などの表示も効果的に行うことができる。
【００３９】
また、実施形態１に係る画像表示システムは、当該画像表示システムを設置する際に、大掛かりな工事などは不要で、安価に簡単に設置することができ、移動なども容易であるので、様々な分野で手軽に使用することができる。
【００４０】
[実施形態２]
図５は実施形態２に係る画像表示システムを模式的に示す図である。図５は実施形態１に係る画像表示システムの説明で用いた図２に対応する図であり、支持装置１１０などを含めた全体的な構成は図１と同様に考えることができる。
【００４１】
実施形態２に係る画像表示システムは、幕１０１，１０１，・・・の各幕面１０１ａに上下方向（図示ｚ軸方向）のスリットＳを少なくとも一本設けたものである。図５に示す例においては、幕１０１，１０１，・・・の各幕面１０１ａには、上下方向の２本のスリットＳが等間隔に設けられた例が示されている。なお、図５においては、スリットＳは、幕１０１，１０１，・・・の下端から上端に達するまで設けられている例が示されているが、必ずしも上端に達するまで設けなくてもよい。
【００４２】
実施形態２に係る画像表示システムのスクリーン装置が図５に示すような構成を有することによって、実施形態１に係る画像表示システムと同様、人は幕と幕の間に入ることが可能であり、また、それに加えて、プロジェクタＰＪ１，ＰＪ２の投射方向（図示ｘ軸方向）に沿って移動することもできる。すなわち、人は幕１０１，１０１，・・・に設けられたスリットＳを割って入るようにして幕１０１，１０１，・・・を順次移動することができ、それによって人はスクリーン装置１００をプロジェクタの投射方向に沿って通り抜けることができる。
【００４３】
このように、実施形態２に係る画像表示システムは、人はスクリーン装置１００をプロジェクタの投射方向に沿って通り抜けることができるので、実施形態１に係る画像表示システムと同様の使い方に加えて、例えば、建物内の通路などに設けて、道案内の表示や様々な情報を表示させるという使い方も可能となる。
【００４４】
[実施形態３]
図６は実施形態３に係る画像表示システムを模式的に示す図である。図６は実施形態１に係る画像表示システムの説明で用いた図２に対応する図であり、支持装置１１０などを含めた全体的な構成は図１と同様に考えることができる。
【００４５】
実施形態３に係る画像表示システムは、スクリーン装置１００の幕１０１，１０１，・・・が実施形態１及び実施形態２に係る画像表示システムにおける幕１０１，１０１，・・・に比べて横方向（水平方向）の幅が狭い形状となっており、このような形状の幕（短冊形状の幕１０１，１０１，・・・という）をプロジェクタＰＪ１，ＰＪ２の投射方向及び投射方向を横切る方向にランダムに配置したものである。
【００４６】
具体的には、図６に示すように、プロジェクタＰＪ１，ＰＪ２の投射方向を横切る方向（図示ｙ軸方向）においては、短冊形状の幕１０１，１０１，・・・の枚数と間隔がランダムとなっており、また、プロジェクタＰＪ１，ＰＪ２の投射方向（図示ｘ軸方向）においても、短冊形状の幕１０１，１０１，・・・の枚数と間隔がランダムとなっている。
【００４７】
なお、短冊形状の幕１０１，１０１，・・・を図６に示すようにランダムに配置する場合、プロジェクタの投射画像の一部がどの幕にも表示されずにスクリーン装置１００を通り抜けてしまうといったことを防止するため、スクリーン装置１００の一方の側からプロジェクタの投射方向（図示ｘ軸方向）に沿ってスクリーン装置１００を見たときに、スクリーン装置１００の他方の側が見通せるような大きな隙間ができないように短冊形状の幕１０１，１０１，・・・を配置することが好ましい。
【００４８】
実施形態３に係る画像表示システムのスクリーン装置が図６に示すような構成を有することによって、実施形態２に係る画像表示システムと同様、人はスクリーン装置１００をプロジェクタＰＪ１，ＰＪ２の投射方向に沿って通り抜けることができ、さらに、実施形態３に係る画像表示システムでは、短冊形状の幕１０１，１０１，・・・がランダムに配置されているので、より自由度の高い多様な使い方が可能となる。
【００４９】
なお、図６においては、短冊形状の幕１０１，１０１，・・・は、プロジェクタＰＪ１，ＰＪ２の投射方向に存在する短冊形状の幕１０１，１０１，・・・の対向する各幕面１０１ａが平行となるような配置の例が示されているが、これに限られることなく、例えば、対向するある幕面１０１ａ間は平行であったり、対向するある幕面１０１ａ間は多少の角度を有していたりというように、各幕面１０１ａの向きもランダムとなるような配置であってもよい。
【００５０】
[実施形態４]
図７は実施形態４に係る画像表示システムを模式的に示す図である。図７は実施形態１に係る画像表示システムの説明で用いた図２に対応する図であり、支持装置１１０などを含めた全体的な構成は図１と同様に考えることができる。
【００５１】
実施形態４に係る画像表示システムは、実施形態２に係る画像表示システムにおけるスリットＳが設けられた幕１０１，１０１，・・・を用いてもよく、また、実施形態３に係る画像表示システムにおける短冊形状の幕１０１，１０１，・・・を用いてもよいが、ここでは、短冊形状の幕１０１，１０１，・・・を用いるものとする。
【００５２】
図７に示すように、実施形態４に係る画像表示システムでは、複数枚の短冊形状の幕１０１，１０１，・・・の各幕面１０１ａが所定の間隔を有して対向するように同心円状に配置されたものであり、スクリーン装置１００の外観は円筒形状となる。また、実施形態４に係る画像表示システムにおいては、３台のプロジェクタＰＪ１，ＰＪ２，ＰＪ３が円筒形状のスクリーン装置１００を取り囲むように設置されている。
【００５３】
なお、実施形態４に係る画像表示システムにおいても、実施形態３に係る画像表示システムと同様、プロジェクタの投射画像の一部がどの幕にも表示されずにスクリーン装置１００を通り抜けてしまうといったことを防止するため、スクリーン装置１００の一方の側からスクリーン装置１００を見たときに、スクリーン装置１００の他方の側が見通せるような大きな隙間ができないように短冊形状の幕１０１，１０１，・・・を配置することが好ましい。
【００５４】
実施形態４に係る画像表示システムのスクリーン装置が図７に示すような構成を有することによって、人は円筒形状のスクリーン装置１００を各プロジェクタＰＪ１，ＰＪ２，ＰＪ３の投射方向に沿って通り抜けることができる。また、実施形態４に係る画像表示システムにおいては、円筒形状のスクリーン装置１００に様々な角度からプロジェクタによって画像を投射するようにしているので、より立体感のある画像を表現することもできる。これにより、実施形態４に係る画像表示システムでは、実施形態１〜３に係る画像表示システムと同様の使い方に加えて、実施形態１〜３に係る画像表示システムとは異なった使い方もでき、これまでにはない演出効果を得ることがきる可能性もある。
【００５５】
また、実施形態４に係る画像表示システムにおいては、スクリーン装置１００を取り囲むように３台のプロジェクタＰＪ１，ＰＪ２，ＰＪ３を配置した例について説明したが、より多くのプロジェクタを配置するような構成であってもよく、また、実施形態１〜３と同様、２台のプロジェクタＰＪ１，ＰＪ２をスクリーン装置１００を挟むように設置するような構成であってもよい。
【００５６】
なお、本発明は前述の各実施形態に限られるものではなく、本発明の要旨を逸脱しない範囲で種々変形実施可能となるものである。たとえば、実施形態１〜３に係る画像表示システムにおいては、スクリーン装置１００を挟むようにそれぞれ１台ずつのプロジェクタＰＪ１，ＰＪ２を設置する例で説明したが、これに限られるものではなく、スクリーン装置１００を挟むように一方の側及び他方の側それぞれに２台以上のプロジェクタを設置するようにして、スクリーン装置１００の幕１０１，１０１，・・・の各幕面１０１ａに２台以上のプロジェクタからの画像を並べて表示するタイリング投射を行ったり、２台以上のプロジェクタからの画像を重ね合わせて１つの画像を表示するスタッキング投射を行ったりすることもできる。
【００５７】
例えば、図２の例においては、プロジェクタＰＪ１側及びＰＪ２側それぞれにプロジェクタを２台ずつ設置して、それぞれの側において２台ずつのプロジェクタによりタイリング投射やスタッキング投射を行うことが考えられる。
【００５８】
また、前述の各実施形態では、幕１０１，１０１，・・・は、各幕面１０１ａが平行な状態で対向する例で説明したが、必ずしも平行である必要はなく、所定の角度を有した状態で対向するようにしてもよい。また、各幕面１０１ａの間隔も一定である必要はなく、任意に設定することができる。また、スクリーン装置１００を構成する幕の数は、画像表示システムの設置場所や用途によって適切な枚数の設定が可能である。
【図面の簡単な説明】
【００５９】
【図１】実施形態１に係る画像表示システムの構成を示す図。
【図２】実施形態２に係る画像表示システムを簡略化して示す図。
【図３】スクリーン装置１００に２台のプロジェクタＰＪ１，ＰＪ２で投射を行った状態を模式的に示す図。
【図４】人の目に与える影響を考慮した場合のプロジェクタＰＪ１，ＰＪ２の設置位置の例を示す図である。
【図５】実施形態２に係る画像表示システムを簡略化して示す図。
【図６】実施形態３に係る画像表示システムを簡略化して示す図。
【図７】実施形態４に係る画像表示システムを簡略化して示す図。
【符号の説明】
【００６０】
１００・・・スクリーン装置、１０１・・・幕、１０１ａ・・・幕面、１１０・・・支持装置、Ｓ・・・スリット、ＰＪ１，ＰＪ２，ＰＪ３・・・プロジェクタ
【図７】
2008268858.tif 000003
【図１】
2008268858.tif 000004
【図２】
2008268858.tif 000005
【図３】
2008268858.tif 000006
【図４】
2008268858.tif 000007
【図５】
2008268858.tif 000008
【図６】
2008268858.tif 000009